(57)【要約】【課題】粘りがあって捻れにくく、しかも、軽量化できる釣竿と竿体を提供する。【解決手段】中実状の竿体を備え、該竿体のブランク１０は、ブランク１０の全長の長さを有する繊維強化樹脂製のソリッド体３０と、該ソリッド体３０の外側全長に形成されたシート状のプリプレグからなる筒状の主層３１と、該主層３１の外側全長に形成され、二本のテープ状のプリプレグがそれぞれ間隔をあけながら螺旋状に巻回されると共に互いに交差するように巻回されたクロステープ層３２とを備え、主層３１は、強化繊維が竿体の中心線の方向に沿っている縦繊維層をブランク１０の全長に亘って有しており、ブランク１０の後端部における縦繊維層の巻き数は、ブランク１０の前端部における縦繊維層の巻き数よりも多い。【選択図】図４
2020043844.tif 000002
【特許請求の範囲】
【請求項１】
中実状の竿体を備え、該竿体のブランクは、ブランクの全長の長さを有する繊維強化樹脂製のソリッド体と、該ソリッド体の外側全長に形成されたシート状のプリプレグからなる筒状の主層と、該主層の外側全長に形成され、二本のテープ状のプリプレグがそれぞれ間隔をあけながら螺旋状に巻回されると共に互いに交差するように巻回されたクロステープ層とを備え、
主層は、強化繊維が竿体の中心線の方向に沿っている縦繊維層をブランクの全長に亘って有しており、ブランクの後端部における縦繊維層のプリプレグの巻き数は、ブランクの前端部における縦繊維層のプリプレグの巻き数よりも多い、釣竿。
【請求項２】
縦繊維層は、強化繊維が竿体の中心線の方向に沿っている複数のシート状の縦繊維プリプレグがそれぞれ巻回されて形成された複数の縦繊維プリプレグ層により構成されており、
複数の縦繊維プリプレグ層の各後端部はブランクの後端部に位置し、複数の縦繊維プリプレグ層の各前端部は外側の縦繊維プリプレグ層ほど前側に位置していて、複数の縦繊維プリプレグ層のうち最も外側に位置する最外の縦繊維プリプレグ層はブランクの全長に亘って形成されている請求項１記載の釣竿。
【請求項３】
ソリッド体は、後側に向けて所定のテーパ率で拡径する前部と、該前部のテーパ率よりも小さいテーパ率で後側に向けて拡径する又は径一定である後部とを有している請求項２記載の釣竿。
【請求項４】
前端部に穂先部を有し、後端部に雄側ジョイント部を有する中実状の第一竿体と、前端部に第一竿体の雄側ジョイント部が着脱自在に挿入される雌側ジョイント部を有し、後端部に竿尻部を有する中空状の第二竿体とを備え、
第一竿体のブランクは、ブランクの全長の長さを有する繊維強化樹脂製のソリッド体と、該ソリッド体の外側全長に形成されたシート状のプリプレグからなる筒状の主層と、該主層の外側全長に形成され、二本のテープ状のプリプレグがそれぞれ間隔をあけながら螺旋状に巻回されると共に互いに交差するように巻回されたクロステープ層とを備え、
主層は、強化繊維が竿体の中心線の方向に沿っている縦繊維層をブランクの全長に亘って有しており、ブランクの後端部における縦繊維層のプリプレグの巻き数は、ブランクの前端部における縦繊維層のプリプレグの巻き数よりも多い、釣竿。
【請求項５】
雄側ジョイント部は、第一竿体のブランクの後端部所定長さ領域により構成され、雄側ジョイント部には、クロステープ層の外側に補助プリプレグからなる補助層が設けられている請求項４記載の釣竿。
【請求項６】
第一竿体は、釣竿の全ての釣糸ガイドを備え、第二竿体は、リールシートを備えている請求項４又は５記載の釣竿。
【請求項７】
中実状の竿体であって、竿体のブランクは、ブランクの全長の長さを有する繊維強化樹脂製のソリッド体と、該ソリッド体の外側全長に形成されたシート状のプリプレグからなる筒状の主層と、該主層の外側全長に形成され、二本のテープ状のプリプレグがそれぞれ間隔をあけながら螺旋状に巻回されると共に互いに交差するように巻回されたクロステープ層とを備え、
主層は、強化繊維が竿体の中心線の方向に沿っている縦繊維層をブランクの全長に亘って有しており、ブランクの後端部における縦繊維層のプリプレグの巻き数は、ブランクの前端部における縦繊維層のプリプレグの巻き数よりも多い、釣竿の竿体。
【発明の詳細な説明】
【技術分野】
【０００１】
本発明は、中実状の竿体を備えた釣竿と竿体に関する。
【背景技術】
【０００２】
本出願人は下記特許文献１のように、中実棒状体の外側にＸ巻螺旋体を設けた構成について種々検討し、中実棒状体とＸ巻螺旋体との間の中間層としてテープ状のプリプレグを密に巻回した密着螺旋体を設けることを提案している。この長尺ロッドは、特にキハダマグロ等の大型魚向きのものに有効である。しかしながら、重量が大きくなりやすく、中実棒状体による粘りとＸ巻螺旋体による捻れにくさを維持しつつも、軽量化に適した構成について再検討を行った。
【先行技術文献】
【特許文献】
【０００３】
【特許文献１】特開２０１７−１２７２４８号公報
【発明の概要】
【発明が解決しようとする課題】
【０００４】
本発明は、粘りがあって捻れにくく、しかも、軽量化できる釣竿と竿体を提供することを課題とする。
【課題を解決するための手段】
【０００５】
本発明に係る釣竿は、中実状の竿体を備え、該竿体のブランクは、ブランクの全長の長さを有する繊維強化樹脂製のソリッド体と、該ソリッド体の外側全長に形成されたシート状のプリプレグからなる筒状の主層と、該主層の外側全長に形成され、二本のテープ状のプリプレグがそれぞれ間隔をあけながら螺旋状に巻回されると共に互いに交差するように巻回されたクロステープ層とを備え、主層は、強化繊維が竿体の中心線の方向に沿っている縦繊維層をブランクの全長に亘って有しており、ブランクの後端部における縦繊維層のプリプレグの巻き数は、ブランクの前端部における縦繊維層のプリプレグの巻き数よりも多い。
【０００６】
竿体の中心線の方向に沿った強化繊維を縦方向繊維と称する。上記釣竿の中実状の竿体のブランクの主層は、縦方向繊維のプリプレグ（縦繊維プリプレグ）から形成された縦繊維層をブランクの全長に亘って有している。そして、ブランクの後端部における縦繊維層のプリプレグの巻き数は、ブランクの前端部における縦繊維層のプリプレグの巻き数よりも多いので、縦繊維層によってブランクの曲げ強度を容易に確保することができると共に、ソリッド体のテーパ率を過度に大きくしなくても済み、ソリッド体を細くすることができる。
【０００７】
特に、縦繊維層は、強化繊維が竿体の中心線の方向に沿っている複数のシート状の縦繊維プリプレグがそれぞれ巻回されて形成された複数の縦繊維プリプレグ層により構成されており、複数の縦繊維プリプレグ層の各後端部はブランクの後端部に位置し、複数の縦繊維プリプレグ層の各前端部は外側の縦繊維プリプレグ層ほど前側に位置していて、複数の縦繊維プリプレグ層のうち最も外側に位置する最外の縦繊維プリプレグ層はブランクの全長に亘って形成されていることが好ましい。このように縦繊維層を複数の縦繊維プリプレグ層により構成することで、縦繊維層の後端部における巻き数を前端部におけるそれよりも容易に多くすることができる。そして、外側の縦繊維プリプレグ層の前端部ほど前側に位置しているので、内側の縦繊維プリプレグ層の前端部の剥離を外側の縦繊維プリプレグ層により抑制できる。
【０００８】
更に、ソリッド体は、後側に向けて所定のテーパ率で拡径する前部と、該前部のテーパ率よりも小さいテーパ率で後側に向けて拡径する又は径一定である後部とを有していることが好ましい。ソリッド体の後部のテーパ率を前部のテーパ率よりも小さくすることによって、ソリッド体を軽量化することができる。そして、主層によって竿体の調子を設定でき、特に、竿体の後部の調子を主層によって容易に設定できる。また、最外の縦繊維プリプレグ層の内側に複数の縦繊維プリプレグ層を設けることで、ブランクの後部におけるテーパ率を徐々に前部のテーパ率に近づけていくことができる。そのため、主層の全長の長さを有する縦繊維プリプレグを綺麗に巻回することができる。
【０００９】
また、本発明に係る釣竿は、前端部に穂先部を有し、後端部に雄側ジョイント部を有する中実状の第一竿体と、前端部に第一竿体の雄側ジョイント部が着脱自在に挿入される雌側ジョイント部を有し、後端部に竿尻部を有する中空状の第二竿体とを備え、第一竿体のブランクは、ブランクの全長の長さを有する繊維強化樹脂製のソリッド体と、該ソリッド体の外側全長に形成されたシート状のプリプレグからなる筒状の主層と、該主層の外側全長に形成され、二本のテープ状のプリプレグがそれぞれ間隔をあけながら螺旋状に巻回されると共に互いに交差するように巻回されたクロステープ層とを備え、主層は、強化繊維が竿体の中心線の方向に沿っている縦繊維層をブランクの全長に亘って有しており、ブランクの後端部における縦繊維層のプリプレグの巻き数は、ブランクの前端部における縦繊維層のプリプレグの巻き数よりも多い。
【００１０】
該構成の釣竿は、前側の第一竿体と後側の第二竿体という二つの竿体から構成されている。そして前側の第一竿体を中実状とすることで粘りのある調子を出すことができ、また、後側の第二竿体を中空状とすることで、釣竿が重くなり過ぎることを防止できて軽量化することができる。
【００１１】
特に、雄側ジョイント部は、第一竿体のブランクの後端部所定長さ領域により構成され、雄側ジョイント部には、クロステープ層の外側に補助プリプレグからなる補助層が設けられていることが好ましい。クロステープ層の上に補助層を設けることにより、その補助層を研磨することで雄側ジョイント部の外周面の寸法を容易に調整することができる。そのため、雄側ジョイント部を雌側ジョイント部にしっかりと挿入固定できる。
【００１２】
また、第一竿体は、釣竿の全ての釣糸ガイドを備え、第二竿体は、リールシートを備えていることが好ましい。第一竿体によって手元付近まで粘りのある調子を出すことができ、ワンピースロッドに近い調子を出すことができる。しかも、リールシートを備えた第二竿体は中空状とすることで、釣竿を軽量化できる。更に、第一竿体が全ての釣糸ガイドを備えているので、例えば、第二竿体に他の仕様の第一竿体を取り付けて使用することもできる。即ち、第一竿体と第二竿体を適宜組み合わせて使用することができる。
【００１３】
また、本発明に係る釣竿の竿体は、中実状の竿体であって、竿体のブランクは、ブランクの全長の長さを有する繊維強化樹脂製のソリッド体と、該ソリッド体の外側全長に形成されたシート状のプリプレグからなる筒状の主層と、該主層の外側全長に形成され、二本のテープ状のプリプレグがそれぞれ間隔をあけながら螺旋状に巻回されると共に互いに交差するように巻回されたクロステープ層とを備え、主層は、強化繊維が竿体の中心線の方向に沿っている縦繊維層をブランクの全長に亘って有しており、ブランクの後端部における縦繊維層のプリプレグの巻き数は、ブランクの前端部における縦繊維層のプリプレグの巻き数よりも多い。
【発明の効果】
【００１４】
以上のように、ソリッド体によって粘りのある調子を確保でき、主層の全長に亘る縦繊維層によって曲げ強度を確保できる。そして、縦繊維層の後端部におけるプリプレグの巻き数を多くすることで、ソリッド体のテーパ率を過度に大きくしなくてもよく、ソリッド体を細くできて竿体を軽量化でき、クロステープ層によって捻れ強度を確保できる。
【図面の簡単な説明】
【００１５】
【図１】本発明の一実施形態における釣竿の分離状態を示す正面図。
【図２】同釣竿の連結状態を示す正面図。
【図３】同釣竿の第一竿体のブランクを示す正面図。
【図４】同ブランクを示す要部斜視図。
【図５】同ブランクの製造工程を示す正面図。
【図６】本発明の他の実施形態における釣竿の第一竿体のブランクを示す要部斜視図。
【図７】本発明の他の実施形態における釣竿の第一竿体のブランクの製造工程を示す正面図。
【図８】本発明の他の実施形態における釣竿を示す正面図。
【発明を実施するための形態】
【００１６】
以下、本発明の一実施形態に係る釣竿及び竿体について図１〜図５を参酌しつつ説明する。本実施形態における釣竿は、図示しないリールを装着して使用する釣竿である。リールは両軸リールや片軸リールであってもよいし、スピニングリールであってもよいが、本実施形態では両軸リールを取り付けて使用するのに適したものである。両軸リールは、通常、使用状態において釣竿の上側に位置する。釣竿は、複数の釣糸ガイド３を備えている。釣糸ガイド３は、ブランクの外側に位置する、いわゆる外ガイド式のものである。釣糸ガイド３は、両軸リールを使用する場合、通常、使用状態において釣竿の上側に位置する。尚、釣糸ガイド３は、本実施形態では全てブランクに接着固定された固定ガイドであるが、ブランクに対して摺動可能であって所定位置に摩擦抵抗により固定される遊動ガイド（移動ガイド）を含んでいてもよい。釣竿は、種々の対象魚、用途に使用できるが、特には船釣りに適している。
【００１７】
図１及び図２に本実施形態の釣竿の全体を示している。釣竿の構成は任意であって、ワンピースロッドや振出竿であってもよいが、本実施形態では二本継ぎの構成である。本実施形態の釣竿は、釣竿の前部を構成する第一竿体１と、釣竿の後部を構成する第二竿体２という二つの竿体から構成されている。図１は第一竿体１と第二竿体２とを分離した状態を示しており、図２は第一竿体１と第二竿体２を互いに連結、継ぎ合わせた状態を示している。
【００１８】
第一竿体１は中実状であり、第二竿体２は中空状である。第一竿体１は、中実状のブランク１０を備えており、第二竿体２は中空状のブランク２０を備えている。第一竿体１は、釣竿の全長のうちの大部分の長さを占めていて、釣竿の主要部を構成している。第一竿体１は釣竿の全長のうち少なくとも半分を越える長さを有している。即ち、第一竿体１は第二竿体２よりも長い。第一竿体１は、前端部に釣竿の穂先部を有し、後端部には第二竿体２と継ぎ合わせるための雄側ジョイント部１１を有している。第二竿体２は、前端部に第一竿体１と継ぎ合わせるための雌側ジョイント部２１を有し、後端部には釣竿の竿尻部を有している。第二竿体２の雌側ジョイント部２１には第一竿体１の雄側ジョイント部１１が着脱自在に挿入される。第一竿体１と第二竿体２との間の継ぎ方式は並継ぎである。従って、雄側ジョイント部１１の外周面と雌側ジョイント部２１の内周面との間の摩擦抵抗によって第一竿体１は第二竿体２の前側に継ぎ合わせられる。但し、継ぎ方式は種々であってよい。
【００１９】
第一竿体１は、釣竿の全ての釣糸ガイド３を備えている。従って、第二竿体２は釣糸ガイド３を備えていない。第二竿体２は、その前端部近傍にリールシート４を備えている。このリールシート４に両軸リールが取り付けられる。リールシート４の構成は任意であるが、本実施形態では下面にトリガ５を有している。リールシート４は筒状であって第二竿体２のブランク２０の外側に直接あるいは筒状のスペーサを介して接着固定されている。また、リールシート４は、前側に移動フード６とそれを移動させるためのナット７とを備えている、いわゆるフロントロック構造のリールシート４である。図１のような分離状態において、ナット７と移動フード６を第二竿体２の前端部から前側に取り外すことができる。
【００２０】
第二竿体２は、リールシート４の後側にグリップ部２２，２３を備えている。グリップ部２２，２３は例えば発泡ＥＶＡやコルク等のグリップ素材から構成されていて、ブランク２０の外側に接着固定されている。グリップ部２２，２３は前後二箇所に設けられていて、前側の第一グリップ部２２と後側の第二グリップ部２３とを有している。第一グリップ部２２はリールシート４の直後に位置する。第二グリップ部２３は第一グリップ部２２から後側に離れて位置し、第二竿体２の後端部に位置する。尚、グリップ部２２，２３は一つのみであってもよい。第二竿体２の雌側ジョイント部２１はブランク２０の前端部所定長さ領域により構成されている。雌側ジョイント部２１はその大部分がリールシート４の内側に位置している。従って、リールシート４の内側において第一竿体１は第二竿体２に継ぎ合わせられる。第二竿体２のブランク２０は、マンドレルにプリプレグを巻回することによって形成される。
【００２１】
図３に第一竿体１のブランク１０の全体を示しており、図４にはそのブランク１０の部分的な斜視図を示しており、図５にはブランク１０の構成及びその製造工程の概略を示している。図４のように、ブランク１０は、ソリッド体３０と、ソリッド体３０の外側を覆う筒状の主層３１と、該主層３１の外側に形成された外層としてのクロステープ層３２と、二点鎖線で示すようにクロステープ層３２の外側に形成された塗装層３４とを備えている。
【００２２】
＜ソリッド体３０＞
ソリッド体３０は、繊維強化樹脂製であって、その強化繊維としては例えばガラス繊維やカーボン繊維が使用され、好ましくはカーボン繊維である。ソリッド体３０の強化繊維は、ソリッド体３０の中心線の方向に沿っていて、いわゆる縦方向繊維である。ソリッド体３０は、本実施形態では、図５のように、前端部から後端部に向けて徐々に大径となるテーパ形状であって、そのテーパ率は例えば２／１０００〜５／１０００程度である。ソリッド体３０のテーパ率は全長に亘って一定であるが、一定でなくてもよい。ソリッド体３０は、ブランク１０の全長に対応した長さを有している。
【００２３】
＜主層３１＞
主層３１は、筒状であってソリッド体３０の全長に亘って形成されている。従って、主層３１は、ブランク１０の全長に亘って形成されている。ソリッド体３０の全長が主層３１によって覆われており、主層３１の前端部はソリッド体３０の前端部３０ａに位置し、主層３１の後端部はソリッド体３０の後端部３０ｂに位置している。主層３１の厚さは、前端部から後端部にかけて徐々に厚くなっている。主層３１は、プリプレグ４１，４２，４３から形成されている。主層３１は、主層３１の全長に亘って即ちブランク１０の全長に亘って、強化繊維が縦方向繊維である縦繊維層を有している。縦繊維層は、強化繊維が縦方向繊維である複数の縦繊維プリプレグから形成された複数の縦繊維プリプレグ層により構成されている。
【００２４】
主層３１の後端部におけるプリプレグ４１，４２，４３の総プライ数（全体の巻き数）は、主層３１の前端部におけるプリプレグ４１，４２，４３の総プライ数よりも多い。主層３１の前端部におけるプリプレグ４１，４２，４３の総プライ数は例えば１プライ（一巻き）であり、主層３１の後端部におけるプリプレグ４１，４２，４３の総プライ数は２プライ以上であって、例えば２プライ〜６プライである。
【００２５】
具体的には、図５のように、主層３１は、三枚のシート状のプリプレグ４１，４２，４３から構成されている。尚、図５ではプリプレグ４１，４２，４３を簡略化して三角形状として図示しているが、各前端部４１ａ，４２ａ，４３ａは、先鋭ではなく所定幅を有していることが好ましい。プリプレグ４１，４２，４３の前端部４１ａ，４２ａ，４３ａは、それぞれ１プライできる程度の幅寸法（周方向寸法）を有している。複数のプリプレグ４１，４２，４３は、それぞれ一枚ずつ別々に巻回される。従って、主層３１は、複数のプリプレグ４１，４２，４３がそれぞれ別々に巻回されて形成された複数のプリプレグ層を有している。主層３１を構成するプリプレグ４１，４２，４３の枚数やサイズ、形状、配置等は任意であるが、本実施形態では、三枚のプリプレグ４１，４２，４３から主層３１が構成されている。
【００２６】
主層３１を構成するプリプレグ４１，４２，４３は、内側のものほどソリッド体３０の中心線の方向の長さが短く、外側のものほどソリッド体３０の中心線の方向の長さが長くなっていて前側に延びている。主層３１は、最も内側に位置する第一プリプレグ４１から形成された第一プリプレグ層と、第一プリプレグ層の外側に位置し、第二プリプレグ４２から形成された第二プリプレグ層と、第二プリプレグ層の外側に位置し、第三プリプレグ４３から形成された第三プリプレグ層とにより構成されている。第三プリプレグ層は主層３１の最外のプリプレグ層である。
【００２７】
各プリプレグ４１，４２，４３の後端部４１ｂ，４２ｂ，４３ｂは互いに揃えられていてソリッド体３０の後端部３０ｂに位置している。各プリプレグ４１，４２，４３の前端部４１ａ，４２ａ，４３ａは、外側のものほど前側に位置している。第一プリプレグ４１の長さは最も短く、第二プリプレグ４２は第一プリプレグ４１よりも長く、第三プリプレグ４３は第二プリプレグ４２よりも長い。第三プリプレグ４３はソリッド体３０の全長に対応した長さを有している。第二プリプレグ４２の前端部４２ａは第一プリプレグ４１の前端部４１ａよりも前側に位置する。第三プリプレグ４３の前端部４３ａは、第二プリプレグ４２の前端部４２ａよりも前側に位置すると共に、ソリッド体３０の前端部３０ａに位置する。このように主層３１の最外のプリプレグ層である第三プリプレグ層の後端部はソリッド体３０の後端部３０ｂに位置し、その前端部はソリッド体３０の前端部３０ａに位置している。
【００２８】
第一プリプレグ４１及び第二プリプレグ４２の強化繊維は、例えばカーボン繊維であって、縦方向繊維である。従って、第一プリプレグ４１と第二プリプレグ４２は、何れも縦繊維プリプレグであり、第一プリプレグ４１から形成された第一プリプレグ層と第二プリプレグ４２から形成された第二プリプレグ層は、何れも縦繊維プリプレグ層である。
【００２９】
第三プリプレグ４３は、第一シート５１と第二シート５２が積層された積層シートである。第一シート５１と第二シート５２は同一形状である。第一シート５１の強化繊維は縦方向繊維であり、第一シート５１は、縦繊維プリプレグである。第一シート５１の強化繊維は、好ましくはカーボン繊維である。第二シート５２の強化繊維は織布からなり、第二シート５２は、織布プリプレグである。織布は、第一竿体１の中心線の方向に沿った縦方向繊維と、第一竿体１の周方向に沿った横方向繊維とが互いに縦横織られたものである。織布の強化繊維は好ましくはガラス繊維である。積層シートである第三プリプレグ４３は、第一シート５１が外側となるように巻回されてもよいし、第二シート５２が外側となるように巻回されてもよいが、本実施形態では、第一シート５１が外側となるように巻回されている。従って、主層３１の外周面、即ち主層３１の最表面は、全体に亘って第三プリプレグ４３の第一シート５１から形成され、主層３１の最表面は全長に亘って縦繊維プリプレグ層３５により構成されている。積層シートである第三プリプレグ４３から形成された第三プリプレグ層は、第一シート５１から形成された縦繊維プリプレグ層３５（図４参照）と第二シート５２から形成された織布プリプレグ層３６（図６参照）とが積層された構成である。また、主層３１のうち第二シート５２を除く部分の強化繊維は全て縦方向繊維であって好ましくは全てカーボン繊維である。従って、主層３１のうち、第二シート５２から形成された織布プリプレグ層３６を除く部分は、全て縦方向繊維が強化繊維とされた縦繊維プリプレグから形成された縦繊維プリプレグ層である。本実施形態では、第一プリプレグ層と、第二プリプレグ層と、第三プリプレグ層のうちの縦繊維プリプレグ層３５により、主層３１の縦繊維層が構成されている。
【００３０】
尚、各プリプレグ４１，４２，４３の巻き数は任意であるが、一巻き（１プライ）以上が好ましく、一巻きを越える巻き数であることが好ましく、二巻き（２プライ）や三巻き（３プライ）であってよい。全長のうち少なくとも後部が一巻きを越える巻き数であることが好ましい。プリプレグ４１，４２，４３の前端部４１ａ，４２ａ，４３ａにおける巻き数はそれぞれ１プライ以上であって、プリプレグ４１，４２，４３の後端部４１ｂ，４２ｂ，４３ｂにおける巻き数はそれぞれ前端部４１ａ，４２ａ，４３ａにおける巻き数と同じかそれよりも多く、それぞれ２プライ以上としてよい。従って、三枚のプリプレグ４１，４２，４３から構成される本実施形態では、主層３１の後端部におけるトータルの巻き数は、３プライ以上であって、特に６プライ以上であることが好ましい。
【００３１】
＜クロステープ層３２＞
クロステープ層３２は、主層３１の外周面の全長に亘って形成されている。クロステープ層３２は、主層３１をソリッド体３０に押し付け、主層３１の外周面の縦方向繊維を内側に押し付ける。クロステープ層３２はブランク１０の全長に亘って形成されている。クロステープ層３２は、図４に拡大斜視図を示しているように、第一及び第二のテープ状のプリプレグ６１，６２がそれぞれ間隔をあけながら螺旋状に巻回されると共に互いに交差するように巻回されて形成されている。
【００３２】
第一のテープ状のプリプレグ６１は重なり合うことなく間隔をあけながらソリッド体３０の外周面に螺旋状に巻回されている。第一のテープ状のプリプレグ６１のピッチは任意であり、隣り合う第一のテープ状のプリプレグ６１同士の間隔は任意であるが、例えば、隣り合う第一のテープ状のプリプレグ６１同士の間隔は第一のテープ状のプリプレグ６１の幅よりも大きい。
【００３３】
第二のテープ状のプリプレグ６２は、第一のテープ状のプリプレグ６１の外側に巻回されている。第一のテープ状のプリプレグ６１と第二のテープ状のプリプレグ６２は、ソリッド体３０の中心線の方向に対するリード角が互いに逆向きである。第一のテープ状のプリプレグ６１と第二のテープ状のプリプレグ６２は、合わせてＸ状となる。それぞれのリード角は、ソリッド体３０の中心線に対して例えば４５度である。図４のように、主層３１の強化繊維の織布の交差方向とクロステープ層３２の交差方向は互いに異なっており、互いに傾斜した関係にある。第二のテープ状のプリプレグ６２のピッチは第一のテープ状のプリプレグ６１のピッチと略同じである。第一及び第二のテープ状のプリプレグ６１，６２は、その強化繊維がそれぞれのプリプレグ６１，６２の長手方向に沿っていて途切れることなく連続している。強化繊維は例えばカーボン繊維である。
【００３４】
尚、強化繊維同士の間には合成樹脂が含浸されている。従って、ソリッド体３０や主層３１、クロステープ層３２には強化繊維の他に合成樹脂も存在している。含浸された合成樹脂の種類は種々であってよいが、ソリッド体３０の合成樹脂とプリプレグ４１，４２，４３の合成樹脂とは互いに異なるものであってよい。プリプレグ４１，４２，４３の合成樹脂と第一及び第二のテープ状のプリプレグ６１，６２の合成樹脂は互いに同じものとすることができる。ソリッド体３０の合成樹脂は例えば不飽和ポリエステル樹脂とすることができる。プリプレグ４１，４２，４３の合成樹脂や第一及び第二のテープ状のプリプレグ６１，６２の合成樹脂は例えばエポキシ樹脂とすることができる。
【００３５】
＜雄側ジョイント部１１＞
雄側ジョイント部１１は、ブランク１０の後端部所定長さ領域により構成されている。雄側ジョイント部１１の長さは任意であり、例えば数十ｍｍ程度である。ブランク１０の後端部所定長さ領域には補助プリプレグ７０が巻回されて補助層３３が形成されている。補助プリプレグ７０はクロステープ層３２の外側に巻回されており、補助層３３はクロステープ層３２の外側を覆っている。補助プリプレグ７０の幅は雄側ジョイント部１１の長さに対応している。従って、補助層３３は、ブランク１０の全長のうち雄側ジョイント部１１のみに形成されている。ブランク１０の全長のうち補助プリプレグ７０が巻回された領域から雄側ジョイント部１１が形成されている。補助層３３の外周面を研磨して所定の外径とすることで、雄側ジョイント部１１の外周面が形成されていて、雄側ジョイント部１１が雌側ジョイント部２１にしっかりと挿入固定できる。尚、補助層３３の表面からクロステープ層３２が一部露出していてもよい。
【００３６】
＜塗装層３４＞
塗装層３４はブランク１０の外周面の全体に形成されることが好ましいが、一部のみに形成されていてもよい。雄側ジョイント部１１を除く全領域に塗装層３４を形成してもよい。クロステープ層３２の上に塗装層３４を設けることによってブランク１０の表面を滑らかにすることができる。尚、塗装層３４は省略してもよい。
【００３７】
以上のように構成された釣竿にあっては、前側の中実状の第一竿体１と後側の中空状の第二竿体２という二つの竿体から構成されている。前側の第一竿体１が中実状であるため、粘りのある調子を出すことができる。また、後側の第二竿体２が中空状であるため、釣竿が重くなり過ぎることを防止でき、粘りのある釣竿でありながらも軽量化することができる。
【００３８】
特に、第一竿体１が釣竿の主要部を構成していてその第一竿体１には釣竿の全ての釣糸ガイド３が設けられているので、バット部あるいはその近傍まで粘りのある調子を容易に出すことができる。いわゆるワンピースロッドに近い調子を出すことができる。更に、第一竿体１が全ての釣糸ガイド３を備えているので、例えば、第二竿体２に他の仕様の第一竿体１を取り付けて使用することもできる。即ち、第一竿体１と第二竿体２を適宜組み合わせて使用することができる。しかも、リールシート４や第一グリップ部２２、第二グリップ部２３を備えた第二竿体２は中空状であるので、ワンピースロッドに比して釣竿を軽量化できる。第二竿体２の雌側ジョイント部２１は筒状のリールシート４の内側に位置しているので、第一竿体１の雄側ジョイント部１１から第二竿体２の雌側ジョイント部２１及びリールシート４を介して手に振動が伝達される。また、リールシート４を持つ手の直ぐ前側の位置まで第一竿体１が延びているので、手元付近まで大きく曲がる調子を出すこともできる。
【００３９】
また、釣竿の主要部、即ち釣竿の半分を越える長さを有する第一竿体１においては、ソリッド体３０の外側全長に主層３１が形成されているので、主層３１によって曲げ強度を確保することができ、ソリッド体３０を細くできて軽量化できる。特に、ソリッド体３０の強化繊維が縦方向繊維であって、更に、主層３１の強化繊維は織布を除いて全て縦方向繊維であるので、第一竿体１のブランク１０１０の曲げ強度を容易に確保することができる。また、ソリッド体３０の強化繊維と主層３１の織布を除いた強化繊維を何れもカーボン繊維とすることで、粘りながらも張りのある調子を出すことができる。
【００４０】
更に、第一プリプレグ４１の前端部４１ａよりも第二プリプレグ４２の前端部４２ａが前側に位置し、第二プリプレグ４２の前端部４２ａよりも第三プリプレグ４３の前端部４３ａが前側に位置しているので、第一竿体１が大きく曲がった際において、第一プリプレグ層の前端部の剥離が第二プリプレグ層によって防止され、第二プリプレグ層の前端部の剥離が第三プリプレグ層によって防止される。そして、このように外側のプリプレグほど前側に長く形成することで、ソリッド体３０のテーパ率を大きくすることなく、第一竿体１の中間部から後端部にかけての曲げ強度を容易に確保することができる。
【００４１】
そして、主層３１の最外のプリプレグ層である第三プリプレグ層がソリッド体３０の全長を覆っているので、ソリッド体３０の露出が防止され、主層３１の前端部におけるソリッド体３０からの剥離も防止できる。更に、主層３１がソリッド体３０の全長を覆っていることによって、スムーズなベンディングカーブが得られる。特に、第三プリプレグ層の縦繊維プリプレグ層３５がソリッド体３０の全長を覆っているので、スムーズなベンディングカーブが得られ、ブランク１０の曲げ強度を確保できる。また、主層３１の縦繊維層が全長に亘って形成されていて、縦繊維層の後端部における巻き数が前端部の巻き数よりも多くて２プライ以上であるので、ソリッド体３０を細くできて軽量化でき、しかも、必要な曲げ強度を確保できる。複数の縦繊維プリプレグが独立して巻回されて形成された複数の縦繊維プリプレグ層により主層３１の縦繊維層が構成されているので、主層３１の後端部における縦繊維層の巻き数を多い巻き数とすることが容易であり、主層３１によって強度を容易に確保できて軽量化できる。但し、主層３１の縦繊維層が一枚の縦繊維プリプレグから形成されてもよい。
【００４２】
第一竿体１において、織布プリプレグ層３６が包帯のように主層３１の全長に亘って形成されているので、主層３１の縦方向繊維同士の間の亀裂を抑制できる。主層３１の最外層である第三プリプレグ層に織布プリプレグ層３６が形成されているので、第一竿体１が曲がった際に外周面近傍で発生しやすい亀裂を織布プリプレグ層３６によって効果的に抑制できる。特に、織布の強化繊維は、第一竿体１の中心線の方向と第一竿体１の周方向に沿っているので、縦方向繊維間の亀裂の発生を効果的に抑制できる。そして、クロステープ層３２が縦繊維プリプレグ層３５と織布プリプレグ層３６を全長に亘って強く内側に押さえ付けるので、織布プリプレグ層３６による亀裂発生抑制効果が高まる。
【００４３】
また、積層シートである第三プリプレグ４３を巻回することで縦繊維プリプレグ層３５と織布プリプレグ層３６とが形成されているので、強化繊維の織布を容易に主層の全長に亘って巻回することができる。また、積層シートを用いることにより、織布プリプレグ層３６を縦繊維プリプレグ層３５に隣接させることができ、縦繊維プリプレグ層３５における亀裂の発生を、隣接する織布プリプレグ層３６によって抑制することができる。しかも、積層シートの少なくとも後部が一巻きを越えて巻回されていて巻き数が２プライ以上であると、二層以上の織布プリプレグ層３６が亀裂の内側への進行を抑制する。
【００４４】
更に、主層３１の外側にはクロステープ層３２が全長に亘って形成されているので、第一竿体１の捻れ強度も確保することができる。そして、雄側ジョイント部１１には、クロステープ層３２の外側に補助層３３が設けられているので、補助層３３を研磨することで雄側ジョイント部１１の外周面の寸法を容易に調整することができる。そのため、クロステープ層３２を第一竿体１の後端部まで形成していても、雄側ジョイント部１１を雌側ジョイント部２１にしっかりと挿入固定できる。
【００４５】
尚、本実施形態では第一シート５１が外側となるようにして第三プリプレグ４３が巻回されていたが、図６のように第二シート５２が外側となるように第三プリプレグ４３が巻回されていてもよい。この場合、主層３１の外周面、即ち最表面は全体に亘って第二シート５２から形成され、主層３１の外周面は織布プリプレグ層３６により構成される。主層３１の外周面を織布プリプレグ層３６とすると、その内側の縦繊維プリプレグ層３５が織布プリプレグ層３６によって覆われることになり、縦方向繊維の外部への露出が防止される。
【００４６】
また、上記実施形態では、ソリッド体３０のテーパ率が全長に亘って一定であったが、ソリッド体３０のテーパ率が変化する構成であってもよい。例えば、図７のように、ソリッド体３０が、後側に向けて所定のテーパ率で拡径する前部８０と、径一定である後部８１とを備えていてもよい。ソリッド体３０の後部８１を径一定のストレート形状とすることでソリッド体３０を軽量化することができ、第一竿体１をより一層軽量化できる。そして、主層３１によってブランク１０の後部のテーパ率を調整でき、第一竿体１の調子、特に第一竿体１の後部の調子を容易に設定することができる。
【００４７】
図７の構成では、主層３１は、第一プリプレグ４１から形成された第一プリプレグ層、第二プリプレグ４２から形成された第二プリプレグ層、第三プリプレグ４３から形成された第三プリプレグ層、及び、第四プリプレグ４４から形成された第四プリプレグ層により構成されている。第一プリプレグ４１、第二プリプレグ４２及び第三プリプレグ４３が縦繊維プリプレグであって、第一プリプレグ層、第二プリプレグ層及び第三プリプレグ層が縦繊維プリプレグ層である。第四プリプレグ４４が積層シートであり、第四プリプレグ層が主層３１の最外のプリプレグ層となる。第四プリプレグ層は、第一シート５１から形成された縦繊維プリプレグ層と第二シート５２から形成された織布プリプレグ層の積層構造である。この実施形態では、第一プリプレグ層、第二プリプレグ層、第三プリプレグ層、及び、第四プリプレグ層の縦繊維プリプレグ層により、主層３１の縦繊維層が構成されている。
【００４８】
第四プリプレグ層はソリッド体３０の全長に亘る長さを有している。第一プリプレグ４１の前端部４１ａは、ソリッド体３０の前部８０と後部８１との境界部８２近傍に位置していて、詳細には、境界部８２よりも若干後側に位置している。第二プリプレグ４２の前端部４２ａは、境界部８２よりも前側に位置している。第三プリプレグ４３の前端部４３ａは第二プリプレグ４２の前端部４２ａよりも前側に位置している。このように最内のプリプレグである第一プリプレグ４１の前端部４１ａが境界部８２近傍に位置し、その外側の第二プリプレグ４２の前端部４２ａが境界部８２よりも前側に位置することで、第一竿体１のブランク１０の後部８１を容易にテーパ形状とすることができる。また、外側のプリプレグほど長くて前端部が前側に位置することにより、ブランク１０の後部のテーパ率を徐々に前部のテーパ率に近づけていくことができて、第四プリプレグ４４を綺麗に巻回することができる。尚、ソリッド体３０の後部８１はストレート形状でなくてもよく、ソリッド体３０の後部８１が、前部８０のテーパ率よりも小さいテーパ率で後側に向けて拡径するテーパ形状であってもよい。
【００４９】
尚、最外のプリプレグ層における縦繊維プリプレグ層と織布プリプレグ層を積層シートから形成したが、主層３１の全長に亘る縦繊維プリプレグ層及び織布プリプレグ層をそれぞれ別々に単層のプリプレグから形成してもよい。その場合、主層３１の全長に亘る縦繊維プリプレグ層と織布プリプレグ層は互いに隣接していることが好ましい。
【００５０】
また、上記実施形態では、第一竿体１の雄側ジョイント部１１をブランク１０の後端部所定長さ領域により構成していたが、図８のように、第一竿体１の雄側ジョイント部１１をブランク１０の後端部に装着したフェルール９０により構成してもよい。図８は、雄側ジョイント部１１をフェルール９０とした構成の一例を示している。第一竿体１のブランク１０の後端部所定長さ領域にはフェルール９０が装着されている。フェルール９０は前端開口後端閉口の筒状であって、ブランク１０の外側に装着固定されている。フェルール９０の後端部が第一竿体１の後端部となる。フェルール９０の前部の外側には連結用のナット９１が設けられている。連結用のナット９１の前側にはグリップ部９２が装着されている。第一竿体１を第二竿体２に連結する際には、フェルール９０を第二竿体２の雌側ジョイント部２１に挿入し、雌側ジョイント部２１の内部に設けられた図示しない係合ピンにフェルール９０の係合溝９０ａを係合させる。そして、連結用のナット９１を第二竿体２の前端部の雄ネジ部９３に螺合させることで第一竿体１を第二竿体２に接近させて固定する。尚、第二竿体２の前端部の雄ネジ部９３は例えばリールシート４に形成してよい。
【００５１】
尚、上記実施形態では第一竿体１に釣竿の全ての釣糸ガイド３が設けられていて、第二竿体２には釣糸ガイド３が備えられていないが、例えば、第二竿体２に釣糸ガイド３が一つあるいは複数設けられていてもよい。また、第一竿体１と第二竿体２が略同じ長さであってもよい。三本継ぎ以上の継ぎ数であってもよい。
【００５２】
また、主層３１がソリッド体３０の全長に亘って形成されていたが、ソリッド体３０の前端部３０ａや後端部３０ｂに主層３１が形成されていなくてもよい。ソリッド体３０の全長のうち、雄側ジョイント部１１には主層３１を形成せずに雄側ジョイント部１１を除いた残りの長さ分に主層３１を形成してもよい。クロステープ層３２も主層３１の外周面全長に設けられていなくてもよい。例えば雄側ジョイント部１１にはクロステープ層３２が形成されていない構成であってもよく、雄側ジョイント部１１を除く主層３１の全長にクロステープ層３２を形成してもよい。
【符号の説明】
【００５３】
１    第一竿体
２    第二竿体
３    釣糸ガイド
４    リールシート
５    トリガ
６    移動フード
７    ナット
１０    第一竿体のブランク
１１    雄側ジョイント部
２０    第二竿体のブランク
２１    雌側ジョイント部
２２    第一グリップ部
２３    第二グリップ部
３０    ソリッド体
３０ａ  前端部
３０ｂ  後端部
３１    主層
３２    クロステープ層
３３    補助層
３４    塗装層
３５    縦繊維プリプレグ層
３６    織布プリプレグ層
４１    第一プリプレグ
４１ａ  前端部
４１ｂ  後端部
４２    第二プリプレグ
４２ａ  前端部
４２ｂ  後端部
４３    第三プリプレグ
４３ａ  前端部
４３ｂ  後端部
４４    第四プリプレグ
４４ａ  前端部
４４ｂ  後端部
５１    第一シート
５２    第二シート
６１    第一のテープ状のプリプレグ
６２    第二のテープ状のプリプレグ
７０    補助プリプレグ
８０    ソリッド体の前部
８１    ソリッド体の後部
８２    境界部
９０    フェルール
９０ａ  係合溝
９１    連結用のナット
９２    グリップ部
９３    雄ネジ部
【図１】
2020043844.tif 000003
【図２】
2020043844.tif 000004
【図３】
2020043844.tif 000005
【図４】
2020043844.tif 000006
【図５】
2020043844.tif 000007
【図６】
2020043844.tif 000008
【図７】
2020043844.tif 000009
【図８】
2020043844.tif 000010